(57)【特許請求の範囲】
【請求項１】
前面が開口となり後部底面内に接点部を備えるとともに後部底面外側に係止用テーパ部を有する樹脂製の箱形スイッチケースと、上面視コの字形の中央の前面部でスイッチケースの開口部を塞ぎ、前面部中央に設けた貫通孔から接点部駆動用の操作用ボタンを突出させ、この前面部からスイッチケースの両側面に沿って後方に伸びた下端に取付用脚部を有する両側面部の後部に設けられた爪部がスイッチケース底面側に折り曲げられ、その爪部を上記スイッチケースの係止用テーパ部に食い込ませることにより固定される保持金具からなるプッシュオンスイッチであって、保持金具の両側面部に、下方側が繋がったコの字状の剪断加工をすることにより舌片を形成し、この舌片の上方を内側に折り曲げることにより保持金具の爪部とし、その爪部を上方側になるにつれて深くなるように設けられた係止用テーパ部に食い込ませることにより保持金具を固定したプッシュオンスイッチ。
【請求項２】
前面が開口となり後部底面内に接点部を備えるとともに後部底面外側に係止用テーパ部を有する樹脂製の箱形スイッチケースと、上面視コの字形の中央の前面部でスイッチケースの開口部を塞ぎ、前面部中央に設けた貫通孔から接点部駆動用の操作用ボタンを突出させ、この前面部からスイッチケースの両側面に沿って後方に伸びた下端に取付用脚部を有する両側面部の後部に設けられた爪部がスイッチケース底面側に折り曲げられ、その爪部を上記スイッチケースの係止用テーパ部に食い込ませることにより固定される保持金具からなるプッシュオンスイッチであって、保持金具の爪部を両側面部後方に突出させるとともに中央に貫通孔を有する形状とし、かつスイッチケースの底面外側に内側面が係止用テーパ部となった凸部を設け、爪部をスイッチケース底面側に折り曲げて、爪部の貫通孔側の端面を凸部の係止用テーパ部に食い込ませることにより保持金具を固定したプッシュオンスイッチ。
【請求項３】
前面が開口となり後部底面内に接点部を備えるとともに後部底面外側に係止用テーパ部を有する樹脂製の箱形スイッチケースと、上面視コの字形の中央の前面部でスイッチケースの開口部を塞ぎ、前面部中央に設けた貫通孔から接点部駆動用の操作用ボタンを突出させ、この前面部からスイッチケースの両側面に沿って後方に伸びた下端に取付用脚部を有する両側面部の後部に設けられた爪部がスイッチケース底面側に折り曲げられ、その爪部を上記スイッチケースの係止用テーパ部に食い込ませることにより固定される保持金具からなるプッシュオンスイッチであって、保持金具の爪部を両側面部後方に突出させるとともに後方側が広くなった台形形状とし、かつスイッチケースの底面外側に側面が係止用テーパ部となった台形形状の凹部を設け、爪部をスイッチケース底面側に折り曲げて、爪部の側方端面を凹部の係止用テーパ部に食い込ませることにより保持金具を固定したプッシュオンスイッチ。
【発明の詳細な説明】
【０００１】
【発明の属する技術分野】
本発明は、各種電子機器の操作ボタンとして使用されるプッシュオンスイッチに関するものである。
【０００２】
【従来の技術】
近年、電子機器の小型・薄型化が進むにつれて、操作ボタン用のプッシュオンスイッチも小型・薄型で多様な形態を要望されるようになり、配線基板に対して水平方向に操作される横押し型のプッシュオンスイッチも多く使用されるようになってきた。
【０００３】
この横押し型のプッシュオンスイッチの構造は、実開昭６２−１７３１２３号公報等に開示されており、以下に図７〜図８を用いてその構成を説明する。
【０００４】
図７は、従来のプッシュオンスイッチの側面図、図８は図７のＡ−Ａ線における断面図である。
【０００５】
同図において、１はインサート成形により端子２，３を固定した箱形のスイッチケースであり、そのスイッチケース１の内底面には、端子２，３と各々導通した固定接点２Ａ，３Ａがそれぞれ外側と中央に露出しており、その外側の固定接点２Ａの露出部分に下端を接するように反転動作可能な金属薄板製のドーム状可動接点４が載置され、操作部５Ａを前方に備えた硬質成形樹脂製の押しボタン５と共にスイッチケース１内に内包されている。
【０００６】
そして、上面視コの字形の保持金具６が、スイッチケース１の開口部分を中央の前面部で覆うように、スイッチケース１前面に設けた４ヶ所のダボ１Ａをカシメることにより取り付けられており、押しボタン５の操作部５Ａは保持金具６の前面部の貫通孔部６Ａから前方に突出している。
【０００７】
そして、上記押しボタン５は、後方の押圧用凸部５Ｂが可動接点４の頂点部分と接触するとともに、中央のフランジ部５Ｃの前面が保持金具６前面部に当接することによって挟持されており、前後方向に摺動可能となっている。
【０００８】
また、保持金具６の前面部からスイッチケース１の両側面に沿って後方に伸び、プリント配線基板取付用の脚部６Ｂを下端に有する両側面部の後方端部には、爪部６Ｃが設けてあり、スイッチケース１の底面後方側に折り曲げられてスイッチケース１の後方への押し止め部を形成しているものであった。
【０００９】
このように構成された従来の横押し型のプッシュオンスイッチは、プリント配線基板（図示せず）に、端子２，３と保持金具６の側面部に設けた脚部６Ｂを半田付けすることにより、強固に取り付けられるものであった。
【００１０】
次に、このような構成の横押し型のプッシュオンスイッチの動作を説明すると、押しボタン５の操作部５Ａを水平方向に押圧すると、押しボタン５が後方に移動し、押しボタン５の凸部５Ｂが可動接点４を反転させ、可動接点４の頂点近傍が中央固定接点３Ａと接触することによって、スイッチがｏｎ状態となり、その押圧力を除くと、可動接点４の復元力によって可動接点４が反転復元して、スイッチがｏｆｆ状態に戻るとともに、押しボタン５を元の位置まで押し戻すものであった。
【００１１】
【発明が解決しようとする課題】
しかしながら上記従来のプッシュオンスイッチでは、保持金具６の爪部６Ｃ先端とスイッチケース１の間には少しの隙間があるため、押しボタン５を押圧操作することによって、保持金具６とスイッチケース１を固着させているダボ１Ａのカシメ部が弛んで、スイッチケース１全体が前後にガタつくことがあり、特に短ストロークで切り替えを行うスイッチでは、このガタのために操作感触が悪くなるとともに接触不安定になることがあった。
【００１２】
更に、押圧操作回数が増えると、ダボ１Ａのカシメが弛くなるとともに、保持金具６の爪部６Ｃの先端にスイッチケース１が繰り返し当たり、爪部６Ｃの根元の曲げ角度がきつくなって、ガタが大きくなるという課題があった。
【００１３】
本発明は、押圧操作時のガタが発生し難い優れた横押し型のプッシュオンスイッチを提供することを目的とするものである。
【００１４】
【課題を解決するための手段】
上記課題を解決するために本発明のプッシュオンスイッチは、スイッチケースの後部底面の外側に係止用テーパ部を設けたものとするとともに、保持金具の両側面部に、下方側が繋がったコの字状の剪断加工をすることにより舌片を形成し、この舌片の上方を内側に折り曲げることにより保持金具の爪部とし、その爪部を上方側になるにつれて深くなるように設けられた係止用テーパ部に食い込ませて固定することにより、保持金具とスイッチケースとが強固に固定されたもの等とするものである。
【００１５】
この本発明により、操作時のガタが発生し難い優れたプッシュオンスイッチを提供することができる。
【００１６】
【発明の実施の形態】
本発明の請求項１に記載の発明は、前面が開口となり後部底面内に接点部を備えるとともに後部底面外側に係止用テーパ部を有する樹脂製の箱形スイッチケースと、上面視コの字形の中央の前面部でスイッチケースの開口部を塞ぎ、前面部中央に設けた貫通孔から接点部駆動用の操作用ボタンを突出させ、この前面部からスイッチケースの両側面に沿って後方に伸びた下端に取付用脚部を有する両側面部の後部に設けられた爪部がスイッチケース底面側に折り曲げられ、その爪部を上記スイッチケースの係止用テーパ部に食い込ませることにより固定される保持金具からなるプッシュオンスイッチであって、保持金具の両側面部に、下方側が繋がったコの字状の剪断加工をすることにより舌片を形成し、この舌片の上方を内側に折り曲げることにより保持金具の爪部とし、その爪部を上方側になるにつれて深くなるように設けられた係止用テーパ部に食い込ませることにより保持金具を固定したプッシュオンスイッチとしたものであり、保持金具の爪部をスイッチケース底面の係止用テーパ部に食い込ませて固定するため、押圧操作時に保持金具とスイッチケース間のガタが発生し難くでき、しかも当該構成であれば、押圧操作回数が増えても、爪部の折り曲げ角度が変わり難いので、長期に亘って強固に保持金具とスイッチケースを固定できるとともに、スイッチケースの前後寸法と保持金具の前面から爪部までの寸法に多少の差があっても、爪部の折り曲げ角度を変えることによって強固に固定できるという作用を有する。
【００１７】
請求項２に記載の発明は、前面が開口となり後部底面内に接点部を備えるとともに後部底面外側に係止用テーパ部を有する樹脂製の箱形スイッチケースと、上面視コの字形の中央の前面部でスイッチケースの開口部を塞ぎ、前面部中央に設けた貫通孔から接点部駆動用の操作用ボタンを突出させ、この前面部からスイッチケースの両側面に沿って後方に伸びた下端に取付用脚部を有する両側面部の後部に設けられた爪部がスイッチケース底面側に折り曲げられ、その爪部を上記スイッチケースの係止用テーパ部に食い込ませることにより固定される保持金具からなるプッシュオンスイッチであって、保持金具の爪部を両側面部後方に突出させるとともに中央に貫通孔を有する形状とし、かつスイッチケースの底面外側に内側面が係止用テーパ部となった凸部を設け、爪部をスイッチケース底面側に折り曲げて、爪部の貫通孔側の端面を凸部の係止用テーパ部に食い込ませることにより保持金具を固定したプッシュオンスイッチとしたものであり、保持金具の爪部をスイッチケース底面の係止用テーパ部に食い込ませて固定するため、押圧操作時に保持金具とスイッチケース間のガタが発生し難くでき、しかも当該構成では爪部でスイッチケースを抱き込むようにしたため、保持金具とスイッチケースをより強固に固定できるとともにその固定部分の前後方向の厚さも薄くできるという作用を有する。
【００１８】
請求項３に記載の発明は、前面が開口となり後部底面内に接点部を備えるとともに後部底面外側に係止用テーパ部を有する樹脂製の箱形スイッチケースと、上面視コの字形の中央の前面部でスイッチケースの開口部を塞ぎ、前面部中央に設けた貫通孔から接点部駆動用の操作用ボタンを突出させ、この前面部からスイッチケースの両側面に沿って後方に伸びた下端に取付用脚部を有する両側面部の後部に設けられた爪部がスイッチケース底面側に折り曲げられ、その爪部を上記スイッチケースの係止用テーパ部に食い込ませることにより固定される保持金具からなるプッシュオンスイッチであって、保持金具の爪部を両側面部後方に突出させるとともに後方側が広くなった台形形状とし、かつスイッチケースの底面外側に側面が係止用テーパ部となった台形形状の凹部を設け、爪部をスイッチケース底面側に折り曲げて、爪部の側方端面を凹部の係止用テーパ部に食い込ませることにより保持金具を固定したプッシュオンスイッチとしたものであり、保持金具の爪部をスイッチケース底面の係止用テーパ部に食い込ませて固定するため、押圧操作時に保持金具とスイッチケース間のガタが発生し難くでき、しかも当該構成であれば、爪部の端面を係止用テーパ部に長い寸法で食い込ませることができ、保持金具とスイッチケースを短い前後寸法で強固に固定できるという作用を有する。
【００１９】
以下、本発明の実施の形態について図１〜図６を用いて説明するが、従来の技術の項と同一部分には同一符号を付して詳しい説明を省略する。
【００２０】
（実施の形態１）
図１は本発明の第１の実施の形態によるプッシュオンスイッチの斜視図、図２は同側面図、図３は図２のＡ−Ａ線矢視方向における断面図である。
【００２１】
同図において、１０は、内底面の外側と中央に固定接点２Ａ，３Ａが露出するように、各々と導通した端子２，３をインサート成形により固定した箱形のスイッチケースであり、従来の技術と同様に、その前方にはドーム状可動接点４及び押しボタン５が内包されている。
【００２２】
そして、上面視コの字形の保持金具１１が、スイッチケース１０の開口部分を中央の前面部で覆うように、スイッチケース１０前面の４ヶ所のダボ１０Ａをカシメることにより取り付けられており、押しボタン５の操作部５Ａは保持金具１１の前面部の貫通孔部１１Ａから前方に突出している。
【００２３】
また、保持金具１１の前面からスイッチケース１０の両側面に沿って後方に伸び、その下端に配線基板取付用脚部１１Ｂを有する両側面部の後方端部には、後方側が繋がったコの字状の剪断加工をすることにより形成された舌片の前方を内側に折り曲げて設けた爪部１１Ｃを備えており、この爪部１１Ｃの先端は、スイッチケース１０の底面後方に設けた内側になるにつれて浅くなるテーパ状係止部１０Ｂに食い込んでスイッチケース１０を固定している。
【００２４】
このように構成されたプッシュオンスイッチは、スイッチケース１０の前方のダボ１０Ａのカシメに加えて、保持金具１１後方の爪部１１Ｃの先端がスイッチケース１０のテーパ状係止部１０Ｂに食い込んでいるので、保持金具１１とスイッチケース１０との取付強度が大きく向上し、長期に亘って操作時のガタの少ないプッシュオンスイッチとなる。
【００２５】
また、保持金具１１の爪部１１Ｃを剪断加工法により形成するため、同一面積内でも爪部１１Ｃの外形を大きく形成することができるので、小型プッシュオンスイッチに対しても同様に、保持金具１１とスイッチケース１０を強固に固定することができる。
【００２６】
この横押し型のプッシュオンスイッチのプリント配線基板への取付方法及びその動作等については、従来の技術と同じであるため説明を省略する。
【００２７】
なお、保持金具１１の爪部１１Ｃは、保持金具１１とスイッチケース１０を組み合わせる前に折り曲げてあっても良いし、組立て工程内で曲げ加工しても同様の効果を得られることは勿論である。
【００２８】
（実施の形態２）
図４は本発明の第２の実施の形態によるプッシュオンスイッチの斜視図であり、同図において、１２はインサート成形により端子２，３を固定した箱形のスイッチケースであり、その底面後方には上方側になるにつれて深くなるテーパ状係止部１２Ａが設けてある。
【００２９】
そして、スイッチケース１２の前方のダボ（図示せず）をカシメることにより、上面視コの字形の保持金具１３がスイッチケース１２に取り付けられており、保持金具１３の両側面部に剪断加工法により形成され、上方側が内側に倒れ込んだ爪部１３Ａの前方端面は、スイッチケース１２のテーパ状係止部１２Ａに食い込んでスイッチケース１２を固定している。
【００３０】
このようにして保持金具１３とスイッチケース１２を固定すると、上記実施の形態１に記載した効果に加えて、保持金具１３の爪部１３Ａは折り曲げ方向に対して直角方向に押圧操作力を受けることとなるので、繰返し操作によって爪部１３Ａの根元の折れ曲がり角度が変わり難く、長期に亘ってガタの発生が少ない操作感触の良いプッシュオンスイッチとなるとともに、スイッチケース１２の前後寸法と保持金具１３の前面から爪部１３Ａまでの寸法に多少の差があっても、爪部１３Ａの折り曲げ角度を変えることによって、強固に固定できるものである。
【００３１】
（実施の形態３）
図５は本発明の第３の実施の形態によるプッシュオンスイッチの斜視図であり、同図において、１４はインサート成形により端子２，３を固定した箱形のスイッチケースであり、その底面後方には、内側の壁部がテーパ状係止部１４Ａとなった凸部１４Ｂが設けてある。
【００３２】
そして、上面視コの字形の保持金具１５が、スイッチケース１４の前方のダボ（図示せず）をカシメて取り付けられるとともに、保持金具１５の側面部に設けた保持用孔部１５Ａを有する爪部１５Ｂは、スイッチケース１４の底面側に折り曲げられて、保持用孔部１５Ａの内側端面は、凸部１４Ｂの内壁のテーパ状係止部１４Ａに食い込んでスイッチケース１４を固定している。
【００３３】
このように保持金具１５の爪部１５Ｂによりスイッチケース１４を抱き込む構成とすると、保持金具１５とスイッチケース１４をより強固に固定でき、その固定部分の薄型化も図れるものである。
【００３４】
（実施の形態４）
図６は本発明の第４の実施の形態によるプッシュオンスイッチの斜視図であり、同図において、１６はインサート成形により端子２，３を固定した箱形のスイッチケースであり、その底面後方には、壁部がテーパ状係止部１６Ａとなった台形形状の凹部１６Ｂが設けてある。
【００３５】
そして、上面視コの字形の保持金具１７が、スイッチケース１６の前方のダボ（図示せず）をカシメて取り付けられるとともに、保持金具１７の側面部に設けた台形形状の爪部１７Ａは、スイッチケース１６の底面側に折り曲げられて、爪部１７Ａの側方端面は、凹部１６Ｂのテーパ状係止部１６Ａに食い込んでスイッチケース１６を固定している。
【００３６】
このようにして保持金具１７とスイッチケース１６を固定すると、爪部１７Ａを長い寸法でテーパ状係止部１６Ａに食い込ますことができ、短い前後寸法で強固に固定できるものである。
【００３７】
【発明の効果】
以上のように本発明の構成によるものであれば、保持金具の爪部をスイッチケースの底面外側の係止用テーパ部に食い込ませて保持金具とスイッチケースを固定するので、押圧操作時にガタが発生し難く、長期に亘って操作感触の良い高品質なプッシュオンスイッチを提供することができるとともに、連続加工し易い簡素な構成であるため、自動組立化の容易な実用的価値の高いものである。
【図面の簡単な説明】
【図１】  本発明の第１の実施の形態によるプッシュオンスイッチの斜視図
【図２】  同側面図
【図３】  同図２のＡ−Ａ線矢視方向における断面図
【図４】  本発明の第２の実施の形態によるプッシュオンスイッチの斜視図
【図５】  本発明の第３の実施の形態によるプッシュオンスイッチの斜視図
【図６】  本発明の第４の実施の形態によるプッシュオンスイッチの斜視図
【図７】  従来のプッシュオンスイッチの側面図
【図８】  同図７のＡ−Ａ線における断面図
【符号の説明】
２，３  端子
２Ａ，３Ａ  固定接点
４  可動接点
５  押しボタン
５Ａ  操作部
１０，１２，１４，１６  スイッチケース
１０Ａ  ダボ
１０Ｂ，１２Ａ，１４Ａ，１６Ａ  テーパ状係止部
１１，１３，１５，１７  保持金具
１１Ａ  貫通孔部
１１Ｂ  脚部
１１Ｃ，１３Ａ，１５Ｂ，１７Ａ  爪部
１４Ｂ  凸部
１５Ａ  保持用孔部
１６Ｂ  凹部
【図１】
0003906502.tif 000002
【図２】
0003906502.tif 000003
【図３】
0003906502.tif 000004
【図４】
0003906502.tif 000005
【図５】
0003906502.tif 000006
【図６】
0003906502.tif 000007
【図７】
0003906502.tif 000008
【図８】
0003906502.tif 000009